(57)【要約】【課題】電源プラグとコンセント、特に、電源プラグと線状コンセントとの接続構造にあって、トラッキング防止効果を高めることを課題とする。【解決手段】電源用刃受け３４を内部に備えた左右一対の電源用受容溝３２と、接地用刃受け３５を内部に備えた接地用受容溝２３とを備える線状コンセント３０に、差し込みプラグ１０を接続する。差し込みプラグ１１は一対の電源用栓刃１２の間に絶縁板２１を備える。絶縁板２１は、線状コンセント３０に差し込んだ状態で状態で、接地用受容溝１３に受容される。【選択図】図１
2011008974.tif 000002
【特許請求の範囲】
【請求項１】
電源用刃受けを内部に備えた左右一対の電源用受容溝と、接地用刃受けを内部に備えた接地用受容溝とを備え、上記の左右一対の電源用受容溝の間に上記の接地用受容溝が形成され、且つ、これらの受容溝はコンセントケーシングの先端面に開口する３本の前後方向に伸びる溝であると共に、互いに平行に配位されたものである線状コンセントと、
プラグ本体の先端面から突出した一対の電源用栓刃を備えた電源用差し込みプラグとの接続構造において、
上記差し込みプラグは上記プラグ本体の先端面より突出した絶縁板を備え、
上記絶縁板は上記一対の電源用栓刃間を結ぶ線分上に位置するものであり、
上記一対の電源用受容溝に上記一対の電源用栓刃が受容された状態で、上記接地用受容溝に上記絶縁板が受容されたことを特徴とする線状コンセントに対する差し込みプラグの接続構造。
【請求項２】
上記の差し込みプラグは、絶縁板の前方又は後方に接地用栓刃を備え、
上記一対の電源用受容溝に上記一対の電源用栓刃が受容された状態で、上記接地用受容溝に上記絶縁板と上記の接地用栓刃が受容されたことを特徴とする請求項１記載の線状コンセントに対する差し込みプラグの接続構造。
【請求項３】
プラグ本体の先端面から突出した一対の電源用栓刃を備えた電源用差し込みプラグであって、
電源用刃受けを内部に備えた左右一対の電源用受容溝と、接地用刃受けを内部に備えた接地用受容溝とを備え、上記の左右一対の電源用受容溝の間に上記の接地用受容溝が形成され、且つ、これらの受容溝はコンセントケーシングの先端面に開口する３本の前後方向に伸びる溝であると共に、互いに平行に配位されたものである線状コンセントに差し込み可能な線状コンセント用差し込みプラグにおいて、
上記プラグ本体の先端面より先端方向に突出した絶縁板を備え、
上記絶縁板は上記一対の電源用栓刃間を結ぶ線分上に位置するものであり、且つ、左右方向において上記一対の電源用栓刃間の中央に位置するものであり、
上記線状コンセントの上記一対の電源用受容溝に、上記一対の電源用栓刃を差し込んだ状態で、上記接地用受容溝に上記絶縁板が受容されることことを特徴とする線状コンセント用差し込みプラグ。
【請求項４】
上記絶縁板がプラグ本体と一体に設けられ、
上記絶縁板の前方又は後方に接地用栓刃を備え、
上記一対の電源用受容溝に上記一対の電源用栓刃が受容された状態で、上記接地用受容溝に上記絶縁板と上記の接地用栓刃が受容されるものであることを特徴とする請求項３記載の線状コンセント用差し込みプラグ。
【請求項５】
上記絶縁板は、上記プラグ本体と別体に形成され、且つ、上記プラグ本体に対して出没可能又は着脱可能であることを特徴とする請求項３記載の線状コンセント用差し込みプラグ。
【請求項６】
上記絶縁板がプラグ本体と一体に設けられ、
上記絶縁板の基部に弱め部が設けられ、この弱め部から上記絶縁板の先端側を折り取り可能であることを特徴とする請求項３記載の線状コンセント用差し込みプラグ。
【発明の詳細な説明】
【技術分野】
【０００１】
本願発明は、線状コンセントに対する差し込みプラグの接続構造、並びに、同接続構造に適する差し込みプラグに関するものである。
【背景技術】
【０００２】
従来より、特許文献１や２に示すように、電源用の差し込みプラグには、一対の差し込み刃を先端面から突出させたプラグ本体に、凹部や凸部を形成し、この先端面に形成された凹部や凸部によって、差し込み刃間の沿面距離を長くすることにより、差し込み刃間のトラッキングを防止することが提案されている。差し込みプラグのプラグ本体に凹部を形成する場合には、プラグ本体の先端面がコンセントの先端面に当接するまで確実に差し込むことができる。ところが、特許文献２の図５、図６に示されるように、上記の凸部として複数の突条を形成する場合には、突条の先端がコンセントの先端面に当接することとなる。その結果、差し込みプラグの差し込み刃を十分に深く差し込むことができず、コンセントの先端面から差し込み刃が露出してしまうこととなり、埃の堆積などによるトラッキングの原因となるおそれがある。特に、沿面距離を長くするために、突条の高さを高くすればするほど、コンセントの先端面から差し込み刃の露出長さが長くなり、さらに突条の高さを長くすると、差し込み刃がコンセントの刃受けに受容されないという自体が生じるため、突条の突出高さを高くして沿面距離を長くすることには、おのずと限度がある。
【０００３】
他方、コンセントにも多くの種類が存在するところ、特許文献３に示すような、線状コンセント或いはレールコンセントと呼ばれるものがある。この種のコンセントは、壁面の陳列棚やショーケース等の照明用電源をとるために用いられることが多く、一度取り付けられてしまうと、陳列棚の背面に隠れて、視認しにくく多くの埃が溜まった状態で使用されていることが見受けられるため、トラッキング防止の手段が必要と考えられるが、有効な解決策が実施されていないのが現状である。
【０００４】
【特許文献１】特開２００１−１９６１２４号公報
【特許文献２】特開平１０−２４１７７５号公報
【特許文献３】実公平７−１８１４６号公報
【発明の開示】
【発明が解決しようとする課題】
【０００５】
本願発明は、電源プラグとコンセント、特に、電源プラグと線状コンセントとの接続構造にあって、トラッキング防止効果を高めることを目的とする。
【課題を解決するための手段】
【０００６】
本願発明は、電源用刃受けを内部に備えた左右一対の電源用受容溝と、接地用刃受けを内部に備えた接地用受容溝とを備え、上記の左右一対の電源用受容溝の間に上記の接地用受容溝が形成され、且つ、これらの受容溝はコンセントケーシングの先端面に開口する３本の前後方向に伸びる溝であると共に、互いに平行に配位されたものである線状コンセントと、プラグ本体の先端面から突出した一対の電源用栓刃を備えた電源用差し込みプラグとの接続構造において、上記差し込みプラグは上記プラグ本体の先端面より突出した絶縁板を備え、上記絶縁板は上記一対の電源用栓刃間を結ぶ線分上に位置するものであり、上記一対の電源用受容溝に上記一対の電源用栓刃が受容された状態で、上記接地用受容溝に上記絶縁板が受容されたことを特徴とする線状コンセントに対する差し込みプラグの接続構造を提供する。
この差し込みプラグは、絶縁板の前方又は後方に接地用栓刃を備え、上記一対の電源用受容溝に上記一対の電源用栓刃が受容された状態で、上記接地用受容溝に上記絶縁板と上記の接地用栓刃が受容されたものとすることができる。
また本願発明は、プラグ本体の先端面から突出した一対の電源用栓刃を備えた電源用差し込みプラグであって、電源用刃受けを内部に備えた左右一対の電源用受容溝と、接地用刃受けを内部に備えた接地用受容溝とを備え、上記の左右一対の電源用受容溝の間に上記の接地用受容溝が形成され、且つ、これらの受容溝はコンセントケーシングの先端面に開口する３本の前後方向に伸びる溝であると共に、互いに平行に配位されたものである線状コンセントに差し込み可能な線状コンセント用差し込みプラグにおいて、上記プラグ本体の先端面より先端方向に突出した絶縁板を備え、上記絶縁板は上記一対の電源用栓刃間を結ぶ線分上に位置するものであり、且つ、左右方向において上記一対の電源用栓刃間の中央に位置するものであり、上記線状コンセントの上記一対の電源用受容溝に、上記一対の電源用栓刃を差し込んだ状態で、上記接地用受容溝に上記絶縁板が受容されることことを特徴とする線状コンセント用差し込みプラグを桂供する。
この差し込みプラグは、上記絶縁板がプラグ本体と一体に設けられ、上記絶縁板の前方又は後方に接地用栓刃を備え、上記一対の電源用受容溝に上記一対の電源用栓刃が受容された状態で、上記接地用受容溝に上記絶縁板と上記の接地用栓刃が受容されるものとできる。
また、上記絶縁板は、上記プラグ本体と別体に形成され、且つ、上記プラグ本体に対して出没可能又は着脱可能とすることで、接地用受容溝がない電源コンセントにも使用できるものとなる。同様の目的達成のために、上記絶縁板がプラグ本体と一体に設けられ、上記絶縁板の基部に弱め部が設けられ、この弱め部から上記絶縁板の先端側を折り取り可能としてもよい。
【発明の効果】
【０００７】
本願発明は、電源プラグとコンセント、特に、電源プラグと接地用受容溝を備えた線状コンセントとの接続構造にあって、電源プラグの先端面とコンセントの先端面とが当接するまで差し込んで、確実に電源を接続できる状態使用できると同時に、トラッキング防止効果を高めることが可能となったものである。また、本願発明は、接地用受容溝を備えた線状コンセントに対して利用して、確実な電源接続とトラッキング防止を実現し得る電源プラグを提供することができたものである。さらに、請求項５又は６の発明にあっては、接地用受容溝を備えないコンセントにも使用できる電源プラグを提供することができたものである。
【発明を実施するための最良の形態】
【０００８】
以下、図面に基づき本願発明の実施の形態を説明する。
図１は本願発明の実施の形態に係る線状コンセントと差し込みプラグとの使用状態の説明図であり、図２は同線状コンセントと差し込みプラグとの接続状態の断面図であり、図３は同差し込みプラグの斜視図であり、図４は同内部構造を示す斜視図である。尚、本願の説明において、前後左右は相対的な位置関係を示すに止まり、絶対的な位置を特定するものではない。
【０００９】
まず、図１、図２を参照して、レールコンセント３０について説明する。このレールコンセント３０は、壁面に設けられた棚やショーケース等における複数の照明器具などの電気器具３８に電源を供給するためなどに用いられるもので、ケーシング３１とこれから延設されたコード３６とを備える。ケーシング３１は通常直線状に長く伸ばされたもので、その先端面３７には左右一対の電源用受容溝３２とその間に配位された接地用受容溝３３とが開口している。電源用受容溝３２の内部には電源用刃受け３４が配位され、接地用受容溝３３の内部には接地用刃受け３５が配位されている。電源用刃受け３４と接地用刃受け３５とはケーシング３１の長手方向にそって互いに平行に長く伸ばされたもので、それぞれがコード３６に接続されて、主電源（図示せず）に接続されることにより、長手方向のどの位置にプラグが差し込まれても電源を供給することができる。
【００１０】
次に、図２乃至図４を参照して、プラグ１０について説明する。このプラグ１０は、プラグ本体１１と、プラグ本体１１の最先端面１８から突出して設けられた２本の電源用栓刃１２及び１本の接地用栓刃１３と、これらにプラグ１０内で接続された２本の電源コード１５及び１本の接地コード１６とを有する。プラグ本体１１内には、保持部材１４が配位され、この保持部材１４に電源用栓刃１２及び接地用栓刃１３が支持されていると共に電源コード１５及び接地コード１６に接続されて被覆部１７内にインサート成形されている。保持部材１４及び被覆部１７は非導電性の合成樹脂から形成されている。なお、保持部材１４を、被覆部１７よりも硬質のもので形成することによって、電源用栓刃１２及び接地用栓刃１３の保持強度と、コードの柔軟性とを両立させることができる。
【００１１】
接地用栓刃１３は左右方向において左の電源用栓刃１２と右の電源用栓刃１２との間の中央に位置するものであり、前後方向において電源用栓刃１２の後方に位置するが、前方に位置するものであってもよい。
このプラグ１０には、プラグ本体１１の最先端面１８より突出した絶縁板２１を備える。この絶縁板２１も保持部材１４及び被覆部１７と同様、非導電性の合成樹脂から形成されているが、他の非導電性の素材によって形成してもよい。
【００１２】
この絶縁板２１は、電源用栓刃１２及び接地用栓刃１３と平行に形成され、接地用栓刃１３と同様、左右方向において左の電源用栓刃１２と右の電源用栓刃１２との間の中央に位置するものであり、接地用栓刃１３の一直線上に配位されている。前後方向においては、絶縁板２１は左右一対の電源用栓刃１２と上記電源用栓刃間を結ぶ線分上に位置するもので、この例では接地用栓刃１３の前方に位置する。接地用栓刃１３の前後方向幅は、電源用栓刃１２の前後方向幅と等しいかこれよりも長いものとしておき、一対の電源用栓刃１２間を結ぶ直線上には絶縁板２１が常に位置するようにしておくことが望ましい。
【００１３】
絶縁板２１の長さ（基端と先端間の距離）は、接地用栓刃１３と略等しいものとしておけばよいが、これよりも短くしてもよい。絶縁板２１の長さによって、左右の電源用栓刃１２間の沿面距離が決定されるため、絶縁板２１を長くしておく方が有利であるが、長すぎると、レールコンセント３０にプラグ１０を差し込んだ際、絶縁板２１が接地用受容溝３３の底にぶつかって栓刃が刃受けに完全に受容されない場合があるため、最長でも接地用栓刃１３と略等しい長さとしておく。他方、絶縁板２１を短くしておくことも可能であり、絶縁板２１を僅かな長さでも設けることによって、絶縁板２１がない場合に比してトラッキング防止性能は向上する。従って、絶縁板２１の長さは、プラグ１０をレールコンセント３０に差し込んだ際、接地用刃受け３５に達するものでなくてもよく、少なくとも接地用受容溝３３内に挿入されるものであればよい。
【００１４】
絶縁板２１の左右方向の厚みは、接地用栓刃１３と略同じか、これより薄いものが望ましい。接地用栓刃１３よりも薄くしておくほうが、接地用刃受け３５に円滑に差し込むことができる。ただし、絶縁板２１を短くして接地用刃受け３５に届かない長さとする場合には、接地用受容溝３３の幅以下の厚みにしておけばよい。また、絶縁板２１を長くした場合には、根本では接地用受容溝３３の幅以下の厚みとしておき、先端の接地用刃受け３５に挿入される部分のみを薄くして接地用刃受け３５に挿入されやすいようにしておけばよい。
【００１５】
このプラグ１０は、この例では前記の照明器具３８のコード先端に設けられ、レールコンセント３０に差し込まれる。この挿入によって、図２に示すように、電源用栓刃１２は電源用受容溝３２内の電源用刃受け３４に受容され、接地用栓刃１３は接地用受容溝３３内の接地用刃受け３５に受容される。このとき、絶縁板２１は接地用受容溝３３内に挿入され、絶縁板２１が長い場合には接地用刃受け３５に受容される。このように、絶縁板２１は接地用栓刃１３と共に、接地用受容溝３３内に挿入されるため、プラグ１０の差し込み時に絶縁板２１が邪魔になることはなく、プラグ１０の最先端面１８とレールコンセント３０の先端面３７とが当接するまで、確実に差し込むことができ、安全な電気的接続を維持しつつ、絶縁板２１によるトラッキング防止効果を発揮させることができる。
【００１６】
この絶縁板２１は、プラグ本体１１の被覆部１７と一体に形成することもでき、図４に示すように保持部材１４と一体に形成することもできるが、被覆部１７及び保持部材１４とは別体に形成してもよい。
【００１７】
例えば、図５に示すように、絶縁板２１をプラグ本体１１と別体に形成し、プラグ本体１１に上下方向に貫通した取付部２２を設け、この取付部２２に絶縁板２１を差し込むようにしてもよい。その際、取付部２２と絶縁板２１とは接着してもよいが、樹脂の適当な弾性抵抗をもって強制嵌合させることにより、絶縁板２１をプラグ本体１１に対して出没可能又は着脱可能にしておくこともできる。このように、出没可能又は着脱可能にすることで、接地用受容溝３３のないレールコンセント３０に対しても、絶縁板２１を凹ませるか取り除くことで、プラグ１０をレールコンセント３０に差し込むことができる。
【００１８】
また図６に示すように、前後方向（図６では紙面の手前奥方向）に溝状の取付部２２を設け、絶縁板２１の基端２３を差し込んで着脱可能にしてもよい。その際、図に示すように、基端２３は絶縁板２１の露出部分よりも大きくしておき、抜け止めとしておくことも望ましい。また、絶縁板２１の基部に厚みを薄くした弱め部２４を設けておいて、この弱め部２４から絶縁板２１の先端側を折り取り可能にしておいてもよい。
【００１９】
また、図７及び図８に示すように、プラグ本体１１の最先端面１８にキャップ２５を着脱可能に装着し、このキャップ２５に絶縁板２１を突出形成させるものであってもよい。このキャップ２５には、電源用栓刃１２及び／又は接地用栓刃１３を挿入することができる挿入穴２６を設けておき、キャップ２５をプラグ本体１１に取り付ければよい。その際、この挿入穴２６には、先端方向に伸びる短いスリーブ２７を設けて、電源用栓刃１２をスリーブ２７内に貫通させることで、絶縁効果を高めるようにしてもよい。また、キャップ２５の周縁部２８に埃除けの突条を設けておいてもよい。
【図面の簡単な説明】
【００２０】
【図１】本願発明の実施の形態に係る線状コンセントと差し込みプラグとの使用状態の説明図。
【図２】同線状コンセントと差し込みプラグとの接続状態の断面図。
【図３】同差し込みプラグの斜視図。
【図４】同内部構造を示す斜視図。
【図５】差し込みプラグへの絶縁板の取付構造の一例を示す説明図。
【図６】差し込みプラグへの絶縁板の取付構造の他の例を示す説明図。
【図７】差し込みプラグへの絶縁板の取付構造のさらに他の例を示す説明図。
【図８】同差し込みプラグの斜視図。
【符号の説明】
【００２１】
１０  プラグ
１１  プラグ本体
１２  電源用栓刃
１３  接地用栓刃
１４  保持部材
１５  電源コード
１６  接地コード
１７  被覆部
１８  先端面
２１  絶縁板
２２  取付部
２３  基端
２４  弱め部
２５  キャップ
２６  挿入穴
２７  スリーブ
２８  周縁部
３０  レールコンセント
３１  ケーシング
３２  電源用受容溝
３３  接地用受容溝
３４  電源用刃受け
３５  接地用刃受け
３６  コード
３７  先端面
３８  照明器具
【図１】
2011008974.tif 000003
【図２】
2011008974.tif 000004
【図３】
2011008974.tif 000005
【図４】
2011008974.tif 000006
【図５】
2011008974.tif 000007
【図６】
2011008974.tif 000008
【図７】
2011008974.tif 000009
【図８】
2011008974.tif 000010
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
電源用刃受けを内部に備えた左右一対の電源用受容溝と、接地用刃受けを内部に備えた接地用受容溝とを備え、上記の左右一対の電源用受容溝の間に上記の接地用受容溝が形成され、且つ、これらの受容溝はコンセントケーシングの先端面に開口する３本の前後方向に伸びる溝であると共に、互いに平行に配位されたものである線状コンセントと、
プラグ本体の先端面から突出した一対の電源用栓刃を備えた電源用差し込みプラグとの接続構造において、
上記差し込みプラグは上記プラグ本体の先端面より突出した絶縁板と、この絶縁板の前方又は後方に接地用栓刃を備え、
上記絶縁板は上記一対の電源用栓刃間を結ぶ線分上に位置するものであり、
上記一対の電源用受容溝内の電源用刃受けに上記一対の電源用栓刃が受容された状態で、上記接地用受容溝内の接地用刃受けに接地用栓刃が受容されたものであり、
上記絶縁板は、上記接地用受容溝の幅よりも厚みが薄く、且つ、上記プラグ本体の先端面からの突出長さが上記接地用栓刃の長さよりも短く、
上記絶縁板は上記接地用受容溝内に挿入されるが、上記接地用刃受けには届かないことを特徴とする線状コンセントに対する差し込みプラグの接続構造。
【請求項２】
プラグ本体の先端面から突出した一対の電源用栓刃を備えた電源用差し込みプラグであって、
電源用刃受けを内部に備えた左右一対の電源用受容溝と、接地用刃受けを内部に備えた接地用受容溝とを備え、上記の左右一対の電源用受容溝の間に上記の接地用受容溝が形成され、且つ、これらの受容溝はコンセントケーシングの先端面に開口する３本の前後方向に伸びる溝であると共に、互いに平行に配位されたものである線状コンセントに差し込み可能な線状コンセント用差し込みプラグにおいて、
上記プラグ本体の先端面より先端方向に突出した絶縁板を備え、この絶縁板の前方又は後方に接地用栓刃を備え、
上記絶縁板は上記一対の電源用栓刃間を結ぶ線分上に位置するものであり、且つ、左右方向において上記一対の電源用栓刃間の中央に位置するものであり、
上記線状コンセントの上記一対の電源用受容溝に、上記一対の電源用栓刃を差し込んだ状態で、上記接地用受容溝に上記絶縁板と接地用栓刃とが受容されるものであり、
上記絶縁板は、上記接地用受容溝の幅よりも厚みが薄く、且つ、上記プラグ本体の先端面からの突出長さが上記接地用栓刃の長さよりも短く、
プラグを上記レールコンセントに差し込んだ状態で、上記絶縁板は上記接地用受容溝内に挿入されるが、上記接地用刃受けには届かないことを特徴とする線状コンセント用差し込みプラグ。
【請求項３】
上記絶縁板は、上記プラグ本体と別体に形成され、且つ、上記プラグ本体に対して出没可能又は着脱可能であることを特徴とする請求項２記載の線状コンセント用差し込みプラグ。
【請求項４】
上記絶縁板がプラグ本体と一体に設けられ、
上記絶縁板の基部に弱め部が設けられ、この弱め部から上記絶縁板の先端側を折り取り可能であることを特徴とする請求項２記載の線状コンセント用差し込みプラグ。
【手続補正２】
【補正対象書類名】明細書
【補正対象項目名】０００６
【補正方法】変更
【補正の内容】
【０００６】
本願の請求項１に係る発明は、電源用刃受けを内部に備えた左右一対の電源用受容溝と、接地用刃受けを内部に備えた接地用受容溝とを備え、上記の左右一対の電源用受容溝の間に上記の接地用受容溝が形成され、且つ、これらの受容溝はコンセントケーシングの先端面に開口する３本の前後方向に伸びる溝であると共に、互いに平行に配位されたものである線状コンセントと、プラグ本体の先端面から突出した一対の電源用栓刃を備えた電源用差し込みプラグとの接続構造において、上記差し込みプラグは上記プラグ本体の先端面より突出した絶縁板と、この絶縁板の前方又は後方に接地用栓刃を備え、上記絶縁板は上記一対の電源用栓刃間を結ぶ線分上に位置するものであり、上記一対の電源用受容溝内の電源用刃受けに上記一対の電源用栓刃が受容された状態で、上記接地用受容溝内の接地用刃受けに接地用栓刃が受容されたものであり、上記絶縁板は、上記接地用受容溝の幅よりも厚みが薄く、且つ、上記プラグ本体の先端面からの突出長さが上記接地用栓刃の長さよりも短く、上記絶縁板は上記接地用受容溝内に挿入されるが、上記接地用刃受けには届かないことを特徴とする線状コンセントに対する差し込みプラグの接続構造を提供する。
本願の請求項２に係る発明は、プラグ本体の先端面から突出した一対の電源用栓刃を備えた電源用差し込みプラグであって、電源用刃受けを内部に備えた左右一対の電源用受容溝と、接地用刃受けを内部に備えた接地用受容溝とを備え、上記の左右一対の電源用受容溝の間に上記の接地用受容溝が形成され、且つ、これらの受容溝はコンセントケーシングの先端面に開口する３本の前後方向に伸びる溝であると共に、互いに平行に配位されたものである線状コンセントに差し込み可能な線状コンセント用差し込みプラグにおいて、上記プラグ本体の先端面より先端方向に突出した絶縁板を備え、この絶縁板の前方又は後方に接地用栓刃を備え、上記絶縁板は上記一対の電源用栓刃間を結ぶ線分上に位置するものであり、且つ、左右方向において上記一対の電源用栓刃間の中央に位置するものであり、上記線状コンセントの上記一対の電源用受容溝に、上記一対の電源用栓刃を差し込んだ状態で、上記接地用受容溝に上記絶縁板と接地用栓刃とが受容されるものであり、上記絶縁板は、上記接地用受容溝の幅よりも厚みが薄く、且つ、上記プラグ本体の先端面からの突出長さが上記接地用栓刃の長さよりも短く、プラグを上記レールコンセントに差し込んだ状態で、上記絶縁板は上記接地用受容溝内に挿入されるが、上記接地用刃受けには届かないことを特徴とする線状コンセント用差し込みプラグを提供する。
本願の請求項３に係る発明は、上記絶縁板は、上記プラグ本体と別体に形成され、且つ、上記プラグ本体に対して出没可能又は着脱可能であることを特徴とする請求項２記載の線状コンセント用差し込みプラグを提供する。
本願の請求項４に係る発明は、上記絶縁板がプラグ本体と一体に設けられ、上記絶縁板の基部に弱め部が設けられ、この弱め部から上記絶縁板の先端側を折り取り可能であることを特徴とする請求項２記載の線状コンセント用差し込みプラグを提供する。